(57)【要約】【課題】３つの搬送経路が近接し合流する給紙搬送装置において、各搬送経路のジャム処理を簡単に行うことができ、装置を大型化させることもない給紙搬送装置を提供する。【解決手段】第１可動ガイド３１と第２可動ガイド３２の間に第１搬送経路Ｐ１、第１可動ガイド３１と第３可動ガイド３３の間に第２搬送経路Ｐ２、第３可動ガイド３３の第２可動ガイド３２に隣接する側と反対側に第３搬送経路Ｐ３が搬送方向下流側で合流するように形成する。第２可動ガイド３２は第１搬送経路Ｐ１を開くように単独で回動し、第１可動ガイド３２は第１搬送経路Ｐ１が開いた後、第２搬送経路Ｐ２を開くように単独で回動し、第３可動ガイド３３は、第２搬送経路Ｐ２が開いた後、第３搬送経路Ｐ３を開くように単独で回動し、第１搬送経路Ｐ１が開いた後、第３可動ガイド３３を回動するとこれに連動して第２可動ガイド３２が回動する構成とする。【選択図】図３
2008280127.tif 000002
【特許請求の範囲】
【請求項１】
給紙された用紙を搬送する給紙搬送装置であって、
第１回動軸を中心に回動可能に設けた第１可動ガイドと、
該第１可動ガイドの一方の側に隣接し第２回動軸を中心に回動可能に設けた第２可動ガイドと、
前記第１可動ガイドの他方の側に隣接し第３回動軸を中心に回動可能に設けた第３可動ガイドとを備え、
前記第１可動ガイドと第２可動ガイドの間に第１搬送経路、前記第１可動ガイドと第３可動ガイドの間に第２搬送経路、前記第３可動ガイドの前記第２可動ガイドに隣接する側と反対側に第３搬送経路が搬送方向下流側で合流するように形成された給紙搬送装置において、
前記第２可動ガイドは前記第１搬送経路を開くように単独で回動し、
前記第１可動ガイドは前記第１搬送経路が開いた後、前記第２搬送経路を開くように単独で回動し、
前記第３可動ガイドは、前記第２搬送経路が開いた後、前記第３搬送経路を開くように単独で回動し、
前記第１搬送経路が開いた後、前記第３可動ガイドを回動するとこれに連動して前記第２可動ガイドが回動することを特徴とする給紙搬送装置。
【請求項２】
前記第２可動ガイドは、装置本体の扉を開く動作に連動して前記第１搬送経路を開くように回動することを特徴とする請求項１に記載の給紙搬送装置。
【請求項３】
前記第３可動ガイドの先端は前記第１可動ガイドの先端より突出していることを特徴とする請求項１又は２に記載の給紙搬送装置。
【発明の詳細な説明】
【技術分野】
【０００１】
本発明は複写機、プリンタ、ファクシミリ等の画像形成装置における給紙搬送装置に関する。
【背景技術】
【０００２】
画像形成装置では、用紙が給紙中に搬送経路に詰まった場合に、搬送経路を開放して詰まった用紙を引き出す所謂ジャム処理が行われている。このようなジャム処理では、搬送経路を簡単に開放でき、用紙を迅速容易に引き出すことが求められている。
【０００３】
引用文献１には、複数の記録紙案内部材のうち一個の記録紙案内部材を解放することにより他の記録紙案内部材を連動部材を介して開放する装置が記載されている。
引用文献２には、選択されていた給紙カセットの搬送ガイドを外装カバーの開放動作と連動して開放する装置が記載されている。
引用文献３には、外装カバーの開放に連動して内外の排紙ローラの加圧を解除する装置が記載されている。
引用文献４には、下搬送部と、回動可能な上搬送部と、下搬送部と上搬送部の間で秋道可能な中搬送部とからなり、上部搬送部を開くにつれて中搬送部がバイアススプリングによって持ち上げられるようにした装置が記載されている。
【特許文献１】特開平７−２０６２０９号公報
【特許文献２】特開平５−２５４５５号公報
【特許文献３】特開平１０−１４７４５１号公報
【特許文献４】特開平２―１３８０７２号公報
【発明の開示】
【発明が解決しようとする課題】
【０００４】
特許文献１〜４のいずれの装置も一つの部材を操作することで可動部材が連動し、搬送経路が開放される構造である。しかし、最上段の給紙装置からの搬送経路と、最上段より下方の給紙装置からの搬送経路と、手差し給紙装置からの搬送経路との３つの搬送経路が近接する給紙搬送装置では、各搬送経路を形成するガイド部材を全て連動させても、搬送経路を十分に開放することができず、ジャム処理ができない。また、ガイド部材の連動によって用紙に損傷が生じ、ジャム処理がますます困難になる。さらに、各搬送経路を形成するガイド部材を単独で回動させてジャム処理に必要なだけ搬送経路を開放できるようにすると、各搬送経路を離して配置せざるを得なくなり、スペースの拡大により装置が大型化する等の問題があった。
【０００５】
そこで、本願発明は、３つの搬送経路が近接し合流する給紙搬送装置において、各搬送経路のジャム処理を簡単に行うことができ、装置を大型化させることもない給紙搬送装置を提供することを課題とする。
【課題を解決するための手段】
【０００６】
前記課題を解決するために、本発明は、
給紙された用紙を搬送する給紙搬送装置であって、
第１回動軸を中心に回動可能に設けた第１可動ガイドと、
該第１可動ガイドの一方の側に隣接し第２回動軸を中心に回動可能に設けた第２可動ガイドと、
前記第１可動ガイドの他方の側に隣接し第３回動軸を中心に回動可能に設けた第３可動ガイドとを備え、
前記第１可動ガイドと第２可動ガイドの間に第１搬送経路、前記第１可動ガイドと第３可動ガイドの間に第２搬送経路、前記第３可動ガイドの前記第２可動ガイドに隣接する側と反対側に第３搬送経路が搬送方向下流側で合流するように形成された給紙搬送装置において、
前記第２可動ガイドは前記第１搬送経路を開くように単独で回動し、
前記第１可動ガイドは前記第１搬送経路が開いた後、前記第２搬送経路を開くように単独で回動し、
前記第３可動ガイドは、前記第２搬送経路が開いた後、前記第３搬送経路を開くように単独で回動し、
前記第１搬送経路が開いた後、前記第３可動ガイドを回動するとこれに連動して前記第２可動ガイドが回動する構成としたものである。
【０００７】
前記構成により、第１搬送経路を開放するときは第２可動ガイドを回動させ、第２搬送経路を開放するときは第１可動ガイドを回動させ、第３搬送経路を開放するときは、第３可動ガイドを回動させて１可動ガイドを連動させることで、迅速にジャム処理を行える。
【０００８】
前記第２可動ガイドは、装置本体の扉を開く動作に連動して前記第１搬送経路を開くように回動することが好ましい。これにより、第２可動ガイドを回動させる手間が省け、迅速にジャム処理が行える。
【０００９】
前記第３可動ガイドの先端は前記第１可動ガイドの先端より突出していることが好ましい。これにより、第１可動ガイドと第３可動ガイドを回動させて第３搬送経路を開放しようとするときに、第３可動ガイドの先端が第１可動ガイドの先端より突出していると、必然的に先に第３可動ガイドに指を掛けることになり、第１可動ガイドと第３可動ガイドを順に回動させる必要がなく、迅速にジャム処理が行える。
【発明の効果】
【００１０】
本発明によれば、第２可動ガイドを回動させることで、第１搬送経路のジャム処理を行うことができる。また、第２可動ガイドの回動により、第１可動ガイドと第３可動ガイドを回動させるスペースを確保できるとともに、第１可動ガイドを回動させたときに第２搬送経路のジャム用紙を容易に目視することができるうえ、容易に手を差し入れてジャム用紙を取り出すことができる。第１可動ガイドを回動させることで、第２搬送経路のジャム処理を行うことができる。第３可動ガイドを回動させることで、第１可動ガイドが連動して回答し、第３搬送経路のジャム処理を行うことができる。
【００１１】
このように各搬送経路を十分に開放することができ、各搬送経路のジャム処理を簡単に行うことができる。
【００１２】
また、各搬送経路が上流側で合流している狭い箇所であるにも拘わらず、各可動ガイドを順に回動させて搬送経路を開放できるので、各搬送経路間のスペースを広げる必要がなく、装置を大型化させないという効果を奏する。
【発明を実施するための最良の形態】
【００１３】
以下、本発明の実施の形態を添付図面に従って説明する。
【００１４】
図１は本発明に係る給紙搬送装置を備えた画像形成装置１を示す。この画像形成装置１は、画像形成部２と、該画像形成部２の上方に配置された原稿読取部３と、原稿読取部３の前方に設けられた操作表示部４とからなっている。画像形成部２と原稿読取部３の間は、画像形成部２で画像が形成された排出された用紙を載置する排紙トレイ５を有する空間６となっている。
【００１５】
画像形成部２の内部略中央には、水平に回転駆動可能に支持された４つの感光体ドラム７Ｙ、７Ｍ，７Ｃ，７Ｋが併設されている。各感光体ドラム７Ｙ、７Ｍ，７Ｃ，７Ｋの周囲には、帯電装置８、露光装置９、現像装置１０、クリーニング装置１１等が配置されている。感光体ドラム７Ｙ、７Ｍ，７Ｃ，７Ｋの上方には２つのローラ１２，１３に支持された中間転写ベルト１４が矢印方向Ａに走行可能に配置されている。中間転写ベルト１４の内部には、各感光体ドラム７Ｙ、７Ｍ，７Ｃ，７Ｋと中間転写ベルト１４を介して対向する１次転写ローラ１５が配置されている。中間転写部ベルト１４の右側のローラ１２には、中間転写ベルト１４を介して２次転写ローラ１６が配置されている。
【００１６】
画像形成部２の下部には、４つの給紙カセット１７ａ、１７ｂ、１７ｃ、１７ｄが配置され、各給紙カセット１７ａ、１７ｂ、１７ｃ、１７ｄに収容された用紙がピックアップローラ１８、給紙ローラ１９により搬送経路２０に給紙されるようになっている。給紙搬送経路２０は、画像形成部２の右端部を上昇し、タイミングローラ２１を通って前記中間転写ベルト１４と２次転写ローラ１６との間の２次転写領域Ｔに至っている。
【００１７】
２次転写領域Ｔから定着ローラ２２を通って排紙ローラ２３を経て排紙トレイ５に至る排紙経路２４が設けられている。前記タイミングローラ２１から２次転写領域Ｔに至る給紙搬送路２０、及び２次転写領域Ｔから定着ローラ２２に至る排紙経路２４は、図２に示すように、画像形成部の右側面に設けた右扉２５を開くことで開放される。
【００１８】
また、排紙ローラ２３からスイッチバックして下降し前記タイミングローラ２１の上流側で給紙搬送経路２０に合流する両面コピー用紙搬送経路２６が設けられている。両面コピー用紙搬送経路２６は、画像形成部２の左側面に設けた両面扉２７を開くことで開放される。
【００１９】
画像形成部２の右側面には、右扉２５の下方に手差し給紙装置２８が設けられている。手差し給紙装置２８は、手差し用紙を載置し、該用紙を図示しないピックアップローラ、給紙ローラ２９により手差し給紙搬送路３０を介して給紙搬送経路２０に供給する。
【００２０】
図３は、右扉２５を開放したときの、給紙搬送経路２０、第１給紙カセット１７ａからの給紙搬送経路２０ａ、両面コピー用紙搬送経路２６、手差し給紙搬送経路３０の合流部Ｍの周辺を示す。この合流部Ｍの近傍には、第１可動ガイド３１、第２可動ガイド３２、第３可動ガイド３３が配置されている。
【００２１】
図４に示すように、第１可動ガイド３１は、第１回動軸３４を中心に回動可能に設けられ、先端は合流点Ｍに向かって延びている。第２可動ガイド３２は、第１可動ガイド３１の斜め上方に隣接して位置し、第２回動軸３５を中心に回動可能に設けられ、その先端は合流点Ｍの近傍まで延びている。第３可動ガイド３３は、第１可動ガイド３１の斜め下方に隣接して位置し、回動軸３６を中心に回動可能に設けられ、その先端に設けた可撓性のフィルム３７が合流点Ｍに向かって延びている。第１乃至第３可動ガイド３１，３２，３３は全て、図３において反時計回り方向に付勢されている。また、第３可動ガイド３３の先端は第１可動ガイド３１の先端より高く突出している。
【００２２】
第１可動ガイド３１と第２可動ガイド３３の間には手差し給紙装置２８からの手差し給紙搬送経路３０の一部（第１搬送経路Ｐ１）が形成されている、第１可動ガイド３１と第３可動ガイド３３の間には、第２乃至第４給紙カセット１７ｂ、１７ｃ、１７ｄからの給紙搬送経路２０の一部（第２搬送経路Ｐ２）が形成されている。第３可動ガイド３３の前記第２搬送経路Ｐ２と反対側には、第１給紙カセット１７ａからの給紙搬送経路２０ａの一部（第３搬送経路Ｐ３）が形成されている。第２可動ガイド３２の前記第１搬送経路Ｐ１と反対側には、前記両面コピー搬送経路２６の一部が形成されている。
【００２３】
以上の構成からなる画像形成装置１の概略動作について説明する。
【００２４】
原稿読取部３により読み取られた画像データに基づいて各感光体ドラム７Ｙ，７Ｍ，７Ｃ，７Ｋ上に原稿画像が書き込まれ静電潜像が形成される。静電潜像は現像装置１０により現像されトナー画像となる。感光体ドラム７Ｙ，７Ｍ，７Ｃ，７Ｋ上に形成された色の異なるトナー画像は１次転写ローラ１５により中間転写ベルト１４上に転写され重ね合わされてカラートナー画像となり、該カラートナー画像は中間転写ベルト１４上を２次転写領域Ｔまで搬送される。
【００２５】
一方、給紙カセット１７ａ，１７ｂ，１７ｃ，１７ｄから給紙された用紙は、ピックアップローラ１８、給紙ローラ１９により給紙搬送経路２０に搬送される。給紙搬送経路２０を搬送される用紙はタイミングローラ２１により２次転写領域Ｔに搬送され、ここで中間転写ベルト１４上のカラートナー像が転写される。カラートナー像が転写された用紙は定着ローラ２２を通過して定着され、排紙ローラ２３を通って排紙トレイ５上に排紙される。
【００２６】
両面コピーの場合は、片面にカラートナー画像が定着された後、排紙ローラ２３でスイッチバックして両面コピー用紙搬送経路２６を通ってタイミングローラ２１の上流側で給紙搬送経路２０に合流し、再び２次転写領域Ｔを通過して他方の面にカラートナー像が転写され、定着された後、排紙される。
【００２７】
手差し給紙の場合は、手差し給紙装置２８に載置された用紙は図示しないピックアップローラ、給紙ローラ２９を介して手差し給紙搬送経路３０を通って給紙搬送経路２０に合流し、２次転写領域Ｔでカラートナー像が転写され、定着された後、排紙される。
【００２８】
次に、給紙搬送経路２０の特に合流点Ｍで用紙の詰まりが生じたときのジャム処理の動作について説明する。
【００２９】
画像形成部２の右扉２５を開くと、図３に示すように、第２可動ガイド３２が現れる。ここで第２可動ガイド３２を第２回動軸３５の回りに図３において時計回りに回動すると、図４に示すように、手差し給紙経路３０の一部である第１搬送経路Ｐ１が開放され、該第１搬送経路Ｐ１に詰まった用紙Ｓを取り出すことができる。
【００３０】
この第２可動ガイド３２を回動することで、第１可動ガイド３１と第３可動ガイド３３を回動するための十分なスペースが確保される。
【００３１】
また、第２可動ガイド３２を回動することで、第１可動ガイド３１と第３可動ガイド３３が現れ、第２搬送経路Ｐ２や第３搬送経路Ｐ３に詰まった用紙があればこれを容易に目視することができるうえ、容易に手を差し入れてジャム用紙を取り出すことができる。
【００３２】
図４に示すように第２可動レバー３２が回動した状態では、第３可動ガイド３３の先端は第１可動ガイド３１の先端より高く突出しているので、第３搬送経路Ｐ３に詰まった紙があれば第１可動ガイド３１を回動するよりも第３可動ガイド３３を回動するよう促され、必然的に先に第３可動ガイド３３に指を掛けることになる。したがって、第３可動ガイド３３を第３回動軸３６の回りに回動させると、これに連動して図５に示すように第１可動ガイド３１が第１回動軸３４の回り回動するので、第１可動ガイド３１と第３可動ガイド３３を順に回動させる必要がなく、第３搬送経路Ｐ３に詰まった用紙Ｓを取り出して、迅速にジャム処理が行える。第３搬送経路Ｐ３は装置内部の奥にあって手が入りにくいので、開放された第３搬送経路Ｐ３の幅Ｗは２０ｍｍ以上確保することが好ましい。
【００３３】
図４の第２可動レバー３２が回動した状態で、第１可動レバー３１を単独で第１回動軸３４を中心に図４において時計周りに回動させると、図６に示すように、第２搬送経路Ｐ２が開放され、該第２搬送経路Ｐ２に詰まった用紙Ｓを取り出すことができる。
【００３４】
なお、代案として、右扉２５を開いたとき、これに連動して第２可動ガイド３２が回動軸３５の回りに図３において時計回りに回動するようにしてもよい。このようにすることで、第２可動ガイド３２を手動で回動する必要がないので、ジャム処理を迅速に行える。
【図面の簡単な説明】
【００３５】
【図１】本発明に係る給紙搬送装置を備えた画像形成装置の断面図。
【図２】図１の画像形成装置の右扉を開いた状態を示す部分拡大断面図。
【図３】図２の画像形成装置の搬送経路の合流部の近傍を示す断面図。
【図４】図３の状態から第２可動ガイドを回動させた状態を示す断面図。
【図５】図４の状態から第３可動ガイドと第１可動ガイドを連動して回動させた状態を示す断面図。
【図６】図４の状態から第１可動ガイドを単独で回動させた状態を示す断面図。
【符号の説明】
【００３６】
１  画像形成装置
３１  第１可動ガイド
３２  第２可動ガイド
３３  第３可動ガイド
３４  第１回動軸
３５  第２回動軸
３６  第３回動軸
Ｐ１  第１搬送経路
Ｐ２  第２搬送経路
Ｐ３  第３搬送経路
Ｍ  合流点
【図１】
2008280127.tif 000003
【図２】
2008280127.tif 000004
【図３】
2008280127.tif 000005
【図４】
2008280127.tif 000006
【図５】
2008280127.tif 000007
【図６】
2008280127.tif 000008